(57)【特許請求の範囲】
【請求項１】
光ディスクが収納および排出自在で、収納された前記光ディスクに対して情報信号の記録およびまたは再生を行うための光ディスク装置であって、
収納された前記光ディスクを回転可能に支持するターンテーブルと、
前記ターンテーブルを回転駆動する回転駆動源機構と、
収納または排出される前記光ディスクとの干渉を回避した下降位置と、収納された前記光ディスクを支持可能な上昇位置との間で、前記ターンテーブルを昇降させるターンテーブル昇降機構と、
前記ターンテーブルに支持された前記光ディスクに対して情報信号の記録およびまたは再生を行う光ピックアップと、
前記光ピックアップを、前記ターンテーブルに支持された前記光ディスクの内周側と外周側との間で往復移動させるピックアップ駆動機構と、
少なくとも前記ターンテーブル昇降機構および前記ピックアップ駆動機構に対する駆動力を発生させる兼用駆動源機構と、
前記兼用駆動源機構からの駆動力を受け、前記光ディスクを直接に収納および排出するディスク搬送機構と、を備え、
前記兼用駆動源機構は、
回転駆動力源となる兼用モータと、
前記兼用モータの回転駆動力を、前記ターンテーブルの回転平面と平行な平面内での回転により伝達する複数のギヤで構成された第１のギヤ群とを有し、
前記ディスク搬送機構は、
前記光ディスクのディスク出入口の延在方向に回転軸が平行となるように配設された搬送ローラと、
前記第１のギヤ群により伝えられる前記兼用モータの回転駆動力を、前記搬送ローラの回転駆動力に変える回転面変換ギヤとを有し、
前記光ディスク装置の基体となるメインシャーシと、
一端側の揺動変位側端部が前記メインシャーシに対して接近離隔移動自在となるように、他端側の揺動軸側端部が前記メインシャーシに揺動自在に取付けられ、前記揺動変位側端部が前記メインシャーシに接近移動することで前記ターンテーブルが前記上昇位置に移動すると共に前記揺動変位側端部が前記メインシャーシから離隔移動することで前記ターンテーブルが前記下降位置に移動するトラバースシャーシと、
平面視形状が細長い矩形状をなし、その幅方向において前記ディスク出入口に挿入されたディスク押さえ板と、をさらに備え、
前記ターンテーブル昇降機構は、
前記トラバースシャーシの前記揺動変位側端部に設けられた被駆動ボスと、前記被駆動ボスが係合可能なカム溝を有し、所定方向に往復移動自在に前記メインシャーシに設けられたスライダ部材とを有し、前記スライダ部材が前記所定方向に往復移動することで、前記被駆動ボスが前記カム溝内を案内されて前記ターンテーブルが昇降し、
前記ディスク押さえ板は、
その長手方向に平行に設けられた揺動軸を中心にして揺動可能に構成され、前記スライダ部材が前記ディスク押さえ板の一部に係合することで前記ディスク押さえ板が揺動する、光ディスク装置。
【請求項２】
前記ディスク押さえ板は、
前記ディスク押さえ板の前記光ディスクに対向する側の主面から垂直に延在して、前記スライダ部材の配設面とほほ同じレベルにまで達するロッド部材を有し、
前記スライダ部材が前記所定方向に移動することで前記ロッド部材に係合し、前記ロッド部材を前記所定方向とは直交する方向に付勢することで前記ディスク押さえ板が揺動する、請求項１記載の光ディスク装置。
【発明の詳細な説明】
【技術分野】
【０００１】
本発明は、例えばコンパクト・ディスク（いわゆるＣＤ）やディジタル・バーサタイル・ディスク（いわゆるＤＶＤ）等の、情報記録媒体としての光ディスクに信号を記録、または記録された信号を再生するための光ディスク装置に関する。
【背景技術】
【０００２】
従来の光ディスク装置としては、装置の前側パネルに開口部が設けられ、ディスクトレイが当該開口部から出入りする構成のものがある。この光ディスク装置では、開口部から出てきたディスクトレイ上に光ディスクが載置された後、該光ディスクがディスクトレイと共に装置内部の所定位置に引き込まれるようになっている。【０００３】
この種の光ディスク装置では、光ディスクが装置内部に引き込まれ収納された後、ターンテーブルが所定の下降位置から所定の上昇位置に上昇して、光ディスクが当該ターンテーブル上に載置されると共に、当該ターンテーブルに対向する位置に配設されたクランパと呼称される部材との間に光ディスクを挟み込んで保持する構成となっている。【０００４】
そして、この状態で、当該ターンテーブルの回転により光ディスクが所定の回転数で回転される構成となっている。【０００５】
そして、例えば再生動作の場合には、この光ディスクに記録された信号を記録再生装置により再生する。すなわち、光ディスクの所定範囲に記録された信号のトラック位置に応じて、信号読み取りのための光ピックアップを光ディスクの外周側と内周側との間で往復移動させることにより、所定の情報信号の再生が行われる構成となっている。【０００６】
このような光ディスク装置としては、例えば特許文献１に示されるような装置が開示されている。【０００７】
特許文献１に開示される光ディスク装置では、モータ等による駆動力を要する基本的な動作として、ディスクトレイを装置の内外に往復移動させて光ディスクを装置内部または外部に向けて搬送するディスク搬送動作と、ターンテーブルを所定の下降位置と所定の上昇位置との間で往復移動させるターンテーブル昇降動作と、ターンテーブルを回転駆動させて光ディスクを回転させるディスク回転動作と、光ピックアップを光ディスクの外周側と内周側との間で往復移動させるピックアップ送り動作との、計４つの動作が必要とされる。【０００８】
特許文献１の光ディスク装置では、ディスク搬送動作とターンテーブル昇降動作とピックアップ送り動作との計３つの動作が１個のモータで連続して行われ、ディスク回転動作を含めた全動作が合計２個のモータで行えるように構成されていた。【０００９】
【特許文献１】特開２００４−１８５７７１号公報（図５）
【００１０】
以上説明した従来の光ディスク装置は、ディスクトレイ上に光ディスクを載置して出し入れする構成であり、光ディスクを直接出し入れする、いわゆるスロットイン方式には対応していなかった。
【発明の開示】
【００１１】
本発明は上記のような問題点を解消するためになされたもので、ディスク回転動作を含めた全動作が２個のモータで実現される光ディスク装置において、スロットイン方式に対応した光ディスク装置を提供することを目的とする。
【００１２】
本発明に係る光ディスク装置は、光ディスクが収納および排出自在で、収納された前記光ディスクに対して情報信号の記録および／または再生を行うための前記光ディスク装置であって、収納された前記光ディスクを回転可能に支持するターンテーブルと、前記ターンテーブルを回転駆動する回転駆動源機構と、収納または排出される前記光ディスクとの干渉を回避した下降位置と、収納された前記光ディスクを支持可能な上昇位置との間で、前記ターンテーブルを昇降させるターンテーブル昇降機構と、前記ターンテーブルに支持された前記光ディスクに対して情報信号の記録および／または再生を行う光ピックアップと、前記光ピックアップを、前記ターンテーブルに支持された前記光ディスクの内周側と外周側との間で往復移動させるピックアップ駆動機構と、少なくとも前記ターンテーブル昇降機構および前記ピックアップ駆動機構に対する駆動力を発生させる兼用駆動源機構と、前記兼用駆動源機構からの駆動力を受け、前記光ディスクを直接に収納および排出するディスク搬送機構とを備え、前記兼用駆動源機構は、回転駆動力源となる兼用モータと、前記兼用モータの回転駆動力を、前記ターンテーブルの回転平面と平行な平面内での回転により伝達する複数のギヤで構成された第１のギヤ群とを有し、前記ディスク搬送機構は、前記光ディスクのディスク出入口の延在方向に回転軸が平行となるように配設された搬送ローラと、前記第１のギヤ群により伝えられる前記兼用モータの回転駆動力を、前記搬送ローラの回転駆動力に変える回転面変換ギヤとを有し、前記光ディスク装置の基体となるメインシャーシと、一端側の揺動変位側端部が前記メインシャーシに対して接近離隔移動自在となるように、他端側の揺動軸側端部が前記メインシャーシに揺動自在に取付けられ、前記揺動変位側端部が前記メインシャーシに接近移動することで前記ターンテーブルが前記上昇位置に移動すると共に前記揺動変位側端部が前記メインシャーシから離隔移動することで前記ターンテーブルが前記下降位置に移動するトラバースシャーシと、平面視形状が細長い矩形状をなし、その幅方向において前記ディスク出入口に挿入されたディスク押さえ板と、をさらに備え、前記ターンテーブル昇降機構は、前記トラバースシャーシの前記揺動変位側端部に設けられた被駆動ボスと、前記被駆動ボスが係合可能なカム溝を有し、所定方向に往復移動自在に前記メインシャーシに設けられたスライダ部材とを有し、前記スライダ部材が前記所定方向に往復移動することで、前記被駆動ボスが前記カム溝内を案内されて前記ターンテーブルが昇降し、前記ディスク押さえ板は、その長手方向に平行に設けられた揺動軸を中心にして揺動可能に構成され、前記スライダ部材が前記ディスク押さえ板の一部に係合することで前記ディスク押さえ板が揺動する。
【００１３】
本発明に係る光ディスク装置によれば、ディスク搬送機構が、搬送ローラと、第１のギヤ群により伝えられる兼用モータの回転駆動力を、搬送ローラの回転駆動力に変える回転面変換ギヤとを有して構成されるので、ディスク搬送のための駆動機構が簡単なものとなり、装置を小型化できるとともに、製造コストも低減できる。また、スライダ部材の動作に連動してディスク押さえ板を揺動させるので、光ディスクの進出退避に合わせてディスク押さえ板を揺動させることができる。
【００１４】
この発明の目的、特徴、局面、および利点は、以下の詳細な説明と添付図面とによって、より明白となる。
【図面の簡単な説明】
【００１５】
【図１】本発明に係る実施の形態の光ディスク装置の外観を示す斜視図である。
【図２】本発明に係る実施の形態の光ディスク装置からカバーシャーシを取り去った状態を示す斜視図である。
【図３】メインシャーシの構成を示す斜視図である。
【図４】トラバースユニットの構成を示す斜視図である。
【図５】動力伝達機構を構成するギヤ群を示す斜視図である。
【図６】フラップの構成を示す斜視図である。
【図７】フラップの取り付け状態を示す斜視図である。
【図８】光ディスクが退避していない段階でのトラバースユニットの状態を示す斜視図である。
【図９】光ディスクが退避する途中でのトラバースユニットの状態を示す斜視図である。
【図１０】光ディスクが退避した段階でのトラバースユニットの状態を示す斜視図である。
【図１１】本発明に係る実施の形態の光ディスク装置から光ディスクが進出した状態を示す外観斜視図である。
【発明を実施するための最良の形態】
【００１６】
＜実施の形態＞
＜Ａ．基本的構成＞
本発明に係る実施の形態の光ディスク装置１の基本的構成について、図１および図２を用いて説明する。【００１７】
図１は、光ディスク装置１を斜め上方から見た場合の外観構成を示す斜視図である。なお、以下の説明においては、説明の便宜上、光ディスクの進出退避方向に平行な軸をＹ軸（光ディスクの退避方向を（＋）Ｙ方向、進出方向を（−）Ｙ方向とする）とし、光ディスクの主面において上記Ｙ軸と直交する軸をＸ軸（Ｙ軸（＋）方向に向いて右側を（＋）Ｘ方向、左側を（−）Ｘ方向とする）とし、光ディスクの主面に直交する軸をＺ軸（光ディスクのレーベル面側を（＋）Ｚ方向、記録面側を（−）Ｚ方向とする）として説明する。【００１８】
図１に示すように光ディスク装置１は、メインシャーシ１１と、メインシャーシ１１の上蓋とも言えるカバーシャーシ９とで筐体１０を構成し、当該筐体の１つの側面に光ディスクを出し入れ可能に構成されたスロット状のディスク出入口ＳＬが形成されている。【００１９】
ディスク出入口ＳＬは、メインシャーシ１１に設けられた開口部１１ｈと、カバーシャーシ９に設けたられた開口部９ｈとが合わされることで形成され、開口部９ｈ側にはフラップ２０と呼称される光ディスクの押さえ板が配設されている。【００２０】
フラップ２０は平面視形状が細長い矩形状をなし、その幅方向においてディスク出入口ＳＬに挿入された構成を採り、光ディスクが挿入されていない状態ではフラップ２０の主面が斜めに傾いた状態にあり、光ディスクが挿入されている状態、および光ディスクの進出退避に際してはフラップ２０の主面が光ディスクの主面に対してほぼ平行となるように可動に構成されている。なお、図１では光ディスクが光ディスク装置１内に収容されており、フラップ２０の主面が光ディスクの主面に対してほぼ平行となった状態を示している。【００２１】
また、カバーシャーシ９の上面には、中心よりややディスク出入口ＳＬ寄りの位置に円筒状のクランパ収容部９ａが設けられ、クランパ収容部９ａ内に、クランパ１８と呼称される光ディスクの保持部材が回転自在に収容されている。【００２２】
このクランパ１８は、Ｙ軸方向に沿って往復移動する光ディスクと干渉しないように、光ディスクの移動軌跡の高さ位置よりも上側（（＋）Ｚ方向側）の位置に支持されている。また、クランパ１８の内部にはマグネットが収納されており、当該マグネットの磁力によってクランパ１８と後述するターンテーブル５２（図２）とが吸引し合うことによって、クランパ１８とターンテーブル５２との間に光ディスクを圧着保持する。【００２３】
さらに、カバーシャーシ９の上面の左（（−）Ｘ方向）端部分には、アーム１０１および１０２と呼称される細長い部材が配設されている。アーム１０１および１０２はそれぞれの一端において互いに係合可能に構成され、連動して動作する構成となっている。【００２４】
アーム１０１はそのほぼ中央部に、アーム１０１の長手方向に沿った細長い開口部１０１ａを有し、当該開口部１０１ａにはカバーシャーシ９の上面から垂直に突出するボス部９ｂが係合し、アーム１０１は開口部１０１ａの形状に沿って可動であるとともに、ボス部９ｂを中心にして回動可能に構成されている。なお、アーム１０１および１０２は、カバーシャーシ９の裏面に配設されたディスクストッパ２０１（後述する図４参照）と呼称される部材を可動にするための部材である。【００２５】
ディスクストッパ２０１は光ディスクが光ディスク装置１内に退避（収納）する際に、光ディスクの側面に当接するように、ターンテーブル５２の近傍が初期位置となるように配設されており、カバーシャーシ９のクランパ収容部９ａよりも（＋）Ｙ方向のＹ軸の中心線に沿って形成された溝部９ｇに案内されて（＋）Ｙ方向に移動することが可能である。【００２６】
アーム１０２の先端部は、溝部９ｇから突出するディスクストッパのボス部２０１ａに係合しているので、ディスクストッパ２０１の溝部９ｇに沿った移動に伴い、アーム１０２および１０１が連動して動くことになる。なお、光ディスクが光ディスク装置１内から進出（排出）する際には、ディスクストッパ２０１はアーム１０２を付勢するバネ１０３の弾性力で初期位置に向けて押し戻される。【００２７】
図２は、図１に示した光ディスク装置１からカバーシャーシ９を取り去った状態を示している。なお、図２では全ての構成は開示しておらず、駆動機構と関連のある構成を中心に開示している。また、図２では光ディスクＰＤを仮想的に示している。【００２８】
図２に示すように、メインシャーシ１１内には、メインシャーシ１１に対して揺動自在に支持されたトラバースシャーシ５１と、開口部１１ｈに沿って配設されたディスク搬送プレート２１とを有している。【００２９】
ここで、メインシャーシ１１の構成を図３に、またトラバースシャーシ５１の構成を図４に示す。【００３０】
図３に示すように、メインシャーシ１１は方形枠状体１１ｐと、当該方形枠状体１１ｐの内部に設けられた基板部１１ｓとで構成されている。基板部１１ｓは方形枠状体１１ｐの内周に沿って設けられ、各種部材を搭載する複数の平面部で構成されている。そして、基板部１１ｓで囲まれる領域は開口部１１ｒとなっており、この部分にトラバースシャーシ５１が配設される構成となっている。【００３１】
また、トラバースシャーシ５１は、方形枠状体１１ｐ内に納まる程度の平面視の大きさを有し、図４に示すように、光ディスクの退避方向側（（＋）Ｙ方向側）の端部に、Ｘ方向に平行するように回動軸５１ａおよび５１ｂが設けられ、回動軸５１ａおよび５１ｂがメインシャーシ１１に回動自在に支持されることで、回動軸５１ａおよび５１ｂによって構成される揺動軸Ｐ１を中心にしてメインシャーシ１１内で揺動可能となっている。【００３２】
上述のようにトラバースシャーシ５１は揺動軸Ｐ１を中心にして揺動するので、トラバースシャーシ５１の光ディスクの進出方向側（（−）Ｙ方向側）の端部を揺動変位側端部と呼称する。【００３３】
＜Ｂ．各部の構成＞
ここで再び図２の説明に戻って、各部の構成について説明する。【００３４】
＜Ｂ−１．ディスク搬送プレートの構成＞
図２に示すように、開口部１１ｈの近傍において開口部１１ｈに平行して配設されたディスク搬送プレート２１は、平面視形状が細長い矩形状の基板部２１ａと、当該基板部２１ａの長手方向に延在するように基板部２１ａの表面内に配設された搬送ローラ２１ｂと、搬送ローラ２１ｂより（＋）Ｙ方向側で、搬送ローラ２１ｂと平行に配設された補助ローラ２１ｃとを有している。なお、搬送ローラ２１ｂおよび補助ローラ２１ｃは基板部２１ａに設けられた溝内および開口部内にその直径の半分程度が収容されるように配設されている。【００３５】
搬送ローラ２１ｂおよび補助ローラ２１ｃは、その回転軸がＸ方向に平行になるように配設され、これらの上に載置された光ディスクは、これらが回転することで、光ディスク装置１内に退避、あるいは光ディスク装置１内から進出することになる。【００３６】
光ディスク装置１は、直径の異なる２種類の光ディスクを使用可能に構成されているが、何れの大きさの光ディスクを収納した場合でも、搬送ローラ２１ｂおよび補助ローラ２１ｃの少なくとも一部の上方を光ディスクが覆うことになるように、搬送ローラ２１ｂおよび補助ローラ２１ｃの配設位置が設定されている。【００３７】
搬送ローラ２１ｂの回転軸の一方端にはギヤ２２（ローラギヤ）が係合し、ギヤ２２は図示しないギヤ群によって伝えられる兼用モータ６２の回転駆動力を搬送ローラ２１ｂに与えるためのギヤである。なお、基板部２１ａの裏面にも、図示しないギヤ群によって伝えられる兼用モータ６２の回転駆動力を受けるギヤ２３が回動自在に取り付けられている。なお、補助ローラ２１ｃは独立しては回転せず、光ディスクの搬送に際して補助的に回転するものである。【００３８】
＜Ｂ−２．トラバースシャーシの構成＞
図２に示すように、トラバースシャーシ５１の揺動変位側端部の先端部近傍には、ターンテーブル５２が設けられている。このターンテーブル５２は、磁力により引き寄せられる性質を持つ鉄等の材料により形成されており、クランパ１８（図１）との間で光ディスクを挟持する構成となっている。この状態で、後述する回転駆動源機構としてのスピンドルモータ５４（図５）の駆動力を受けて光ディスクと一体的に回転する。【００３９】
また、トラバースシャーシ５１内には、兼用モータ６２の駆動力を受けてＹ軸方向に沿って移動可能な光ピックアップ５７が配設されている。この光ピックアップ５７は、光ディスクに信号を記録および／または光ディスクに記録された信号を再生するための構成である。なお、光ピックアップ５７の（＋）Ｘ方向側には、兼用モータ６２の駆動力を光ピックアップ５７のＹ軸方向に沿った移動のための駆動力に変換するスライドラック５８およびラック部５７ａが設けられている。【００４０】
以下の説明では、トラバースシャーシ５１と、このトラバースシャーシ５１に組み込まれたターンテーブル５２や光ピックアップ５７等の諸部品により構成される部分をトラバースユニット５０と呼称し、それ以外の諸部品、すなわち、メインシャーシ１１およびメインシャーシ１１に組み込まれたディスク搬送プレート２１等を含む諸部品により構成される部分をローディングユニットと呼称する。【００４１】
＜Ｂ−３．トラバースユニットの構成＞
次に、図４および図５を用いてトラバースユニット５０の構成についてさらに説明する。【００４２】
図４は、トラバースユニット５０およびその周辺の構成を説明する斜視図であり、便宜的にメインシャーシ１１やディスク搬送プレート２１の基板部２１ａなどは省略している。また、図５は、ディスク搬送動作、ターンテーブル昇降動作およびピックアップ送り動作に関連するギヤ群の構成を示す斜視図である。【００４３】
トラバースシャーシ５１は、トラバースユニット５０の基体をなす構成要素であり、その揺動軸Ｐ１側の端部の両側面部に一対の回動軸５１ａ，５１ｂが突出形成されている。【００４４】
ターンテーブル５２の下方にはスピンドルモータ５４が配設され、その回転軸を光ディスク側に指向させた姿勢で、トラバースシャーシ５１に固定されている。この回転軸の先端部がターンテーブル５２の中心孔に圧入されることで、ターンテーブル５２がトラバースシャーシ５１のうち光ディスク側で回転可能に支持され、スピンドルモータ５４の回転駆動により、ターンテーブル５２が回転されるようになっている。【００４５】
光ピックアップ５７は、ターンテーブル５２と揺動軸Ｐ１側の端部との間に設けられている。なお、トラバースシャーシ５１のうち、光ピックアップ５７の可動範囲に相当する領域は、干渉するもののない空間領域となっている。なお光ピックアップ５７は、Ｙ軸方向に沿って配設された主軸ガイド（図示せず）によって、Ｙ軸方向に沿って移動自在に案内支持されている。【００４６】
また、光ピックアップ５７の一方の側面外方には兼用モータ６２が設けられている。この兼用モータ６２は、ディスク搬送動作とターンテーブル昇降動作とピックアップ送り動作との駆動源として用いられる。【００４７】
また、トラバースシャーシ５１の揺動変位側の端部には、ほぼＸ軸方向に沿って可動なトリガープレート６９が配設されている。トリガープレート６９は、平面視形状が細長い矩形状をなしており、その幅方向の一方の側面部においてカムスライダ３０（スライダ部材）と係合し、また他方の側面側の端縁部のトリガープレート６９の長手方向中間部にはカム溝６９ｂが形成されている。カム溝６９ｂは、スライドラック５８のボス部５８ａが係合可能な溝状に形成されており、その延在方向の途中部分で屈曲している。スライドラック５８が（−）Ｙ方向に移動して、ボス部５８ａがカム溝６９ｂ内を挿入されて該カム溝６９ｂ内を移動することで、当該ボス部５８ａがカム溝６９ｂの屈曲形状に応じた方向にガイドされる。【００４８】
カムスライダ３０は、メインシャーシ１１（図示せず）の光ディスク進出方向（（−）Ｙ方向）側の端部に、光ディスクの進出退避方向と直交する方向（Ｘ軸方向）に沿って往復動可能に支持されており、その全体形状は、平面視形状が細長い矩形状をなす第１片３０ｐと、その一方の側面から垂直に延在する第２片３０ｑとで構成されている。【００４９】
そして第１片３０ｐの長手方向の一方の端部からは、側面にラック歯車３０ａが設けられたギヤ部３０ｄが延在している。ギヤ部３０ｄの平面視形状は細長い矩形状をなし、第１片３０ｐの長手方向に沿って延在し、その幅は第１片３０ｐよりも狭く、ラック歯車３０ａは第２片３０ｑが設けられた側とは反対側の側面の一部に設けられている。【００５０】
また、第１片３０ｐの長手方向の他方の端部側の、第２片３０ｑが設けられた側とは反対側の側面から水平に張り出すように、フラップ２０の開閉に寄与する小片部３０ｂが設けられている。小片部３０ｂは、第１片３０ｐの長手方向に沿ってギヤ部３０ｄとは反対側にも延在するように構成されている。【００５１】
さらに、第１片３０ｐの長手方向の他方の端部側には、第１片３０ｐの主面を貫通する溝部３０ｃが設けられている。【００５２】
溝部３０ｃは、平面視形状が略Ｌ字形をなし、第１片３０ｐの長手方向に沿った略直線状の部分と、第２片３０ｑが設けられた側面に向かって斜めに延在する部分とを有している。そして、この溝部３０ｃには、スライドプレート４０が係合する構成となっている。【００５３】
スライドプレート４０は、メインシャーシ１１（図示せず）の（−）Ｘ方向側の端部に、光ディスクの進出退避方向（Ｙ軸方向）に略沿って往復動可能に支持されており、その全体形状は、平面視形状が細長い矩形状をなす第１片４０ｐと、第１片４０ｐの長手方向の一方の端部から、当該長手方向に沿って延在する第２片４０ｑとで構成されている。そして第２片４０ｑの先端部４０ａの裏面から垂直に突出するボス部４０ｔ（図８）が溝部３０ｃに係合している。従って、スライドプレート４０は、カムスライダ３０がＸ軸方向に沿って往復動するのに連動して、Ｙ軸方向に略沿うように往復動することになる。
【００５４】
さらに、第１片４０ｐには、主面を貫通し幅方向に略沿って延在する溝部４０ｂが設けられている。なお、溝部４０ｂが設けられた部分は、第１片４０ｐの側面の一部が水平方向に張り出した部分であり、溝部４０ｂは若干の弧を描くように形成されている。【００５５】
そして溝部４０ｂには、図１において説明したアーム１０１の裏面から垂直方向に延在する突起部１０１ｂが係合する構成となっており、アーム１０１のＹ軸方向に略沿った往復動に連動して、スライドプレート４０もＹ軸方向に沿って動作する構成となっている。【００５６】
また、図４においては、ディスク搬送プレート２１（図２）に設けられた搬送ローラ２１ｂ、ギヤ２２およびギヤ２３を示すとともに、メインシャーシ１１（図示せず）の側面内壁に回動自在に支持され、ギヤ２２およびギヤ２３に係合する第４のギヤ６８と、メインシャーシ１１（図示せず）の内側底面に回動自在に支持され、ギヤ２３および第２のギヤ６６に係合する第３のギヤ６７とを併せて示している。なお、各ギヤの詳細については図５を用いて以下に説明する。【００５７】
＜Ｂ−４．ギヤ群の構成＞
図５においては、ディスク搬送動作、ターンテーブル昇降動作およびピックアップ送り動作に関連するギヤ群と、ターンテーブル５２および光ピックアップ５７を示しており、トラバースシャーシ５１やその他ギヤ群の動作と関連の薄い構成は省略している。【００５８】
図５に示す兼用モータ６２は、図示しないねじによりトラバースシャーシ５１に固定されており、その回転軸はウオームギヤ６３が圧入されている。この兼用モータ６２とウオームギヤ６３は、後述するフィードギヤ６４の回転平面に対してウオームギヤ６３の進み角に相当する角度分傾斜してトラバースシャーシ５１に取り付けられている。【００５９】
さらに、トラバースシャーシ５１にフィードギヤ６４が回転可能に支持されている。フィードギヤ６４は下側の平歯車である大歯車部６４ａと、その上に設けられた平歯車である中歯車部６４ｂと、中歯車部６４ｂの上側に設けられた平歯車である小歯車部６４ｃとを有している。大歯車部６４ａがウオームギヤ６３と噛合すると共に、小歯車部６４ｃが光ピックアップ５７のラック部５７ａおよびスライドラック５８のラック部５８ｂに噛合するようになっている。大歯車部６４ａは平歯車で構成されているが、上述したようにウオームギヤ６３の進み角に相当する角度分傾斜しているので、大歯車部６４ａとウオームギヤ６３とは適正に噛合することになる。【００６０】
ここで、スライドラック５８には、上記ラック部５７ａにおけるラック歯と同様配列および同様形状のラック歯５８ｂが形成されており、フィードギヤ６４の小歯車部６４ｃがラック部５７ａおよびスライドラック５８のラック歯５８ｂに噛合するようになっている。【００６１】
また、このスライドラック５８の長手方向（移動方向）におけるラック歯５８ｂの形成領域長は、上記ラック部５７ａにおけるラック歯の形成領域長よりも大きくなっている。このスライドラック５８は、付勢手段としてのバネ５９によりラック部５７ａに対してＹ軸方向に沿って付勢されている。具体的には、このバネ５９の付勢力により、スライドラック５８のラック歯形成領域における光ディスク内周側の端部がラック部５７ａのラック歯形成領域における光ディスク内周側の端部に略一致すると共に、スライドラック５８のラック歯形成領域における光ディスクの外周側端部がラック部５７ａのラック歯形成領域における光ディスクの外周側端部より若干突出した状態となるように、付勢されている。これにより、光ディスクに対する情報信号の記録および／または再生状態においては、フィードギヤ６４の小歯車部６４ｃが、ラック部５７ａおよびスライドラック５８の双方に噛合する状態となる。【００６２】
なお、バネ５９は、スライドラック５８とフィードギヤ６４の小歯車部６４ｃとが噛合する際のバックラッシュを防止する機能をも有している。また、スライドラック５８のうちターンテーブル５２側（光ディスクの内周側）の端部に、トリガープレート６９（図４）のカム溝６９ｂに係合可能なボス部５８ａが突出形成されている。【００６３】
また、トラバースシャーシ５１の底面には、第１のギヤ６５と第２のギヤ６６が回転可能に支持され、メインシャーシ１１には第３のギヤ６７および第４のギヤ６８が回転可能に支持されている。【００６４】
第１のギヤ６５は平歯車部６５ａを有し、第２のギヤ６６は平歯車部６６ａを有し、第１のギヤ６５の平歯車部６５ａは、フィードギヤ６４の中歯車部６４ｂに噛合する共に、第２のギヤ６６の平歯車部６６ａに噛合する構成となっている。【００６５】
第３のギヤ６７は、縦長の円筒状の平歯車部６７ａを有し、平歯車部６７ａは第２のギヤ６６の平歯車部６６ａに噛合するとともに、搬送プレート２１の裏面に回動自在に取り付けられたギヤ２３の平歯車部２３ｂに噛合する構成となっている。【００６６】
ここで、ギヤ２３は平歯車部２３ｂと、平歯車部２３ｂと同軸をなすように設けられた笠歯車部２３ａとを有し、搬送プレート２１の裏面に平歯車部２３ｂの平面部が対面するように搬送プレート２１に取り付けられている。【００６７】
第４のギヤ６８は、平歯車部６８ａと、平歯車部６８ａの一方の平面部に、平歯車部６８ａと同軸をなすように設けられた円筒部６８ｃと、円筒部６８ｃの先端に配設された笠歯車部６８ｂとを有し、平歯車部６８ａと笠歯車部６８ｂとは同軸をなしている。そして、第４のギヤ６８は、メインシャーシ１１（図示せず）の側面内壁に平歯車部６８ａの平面部が対面するように回動自在に支持され、ギヤ６８の笠歯車部６８ｂは、ギヤ２３の笠歯車部２３ａと常時噛み合う構成となっている。
【００６８】
また、第４のギヤ６８の平歯車部６８ａは、搬送プレート２１に配設された搬送ローラ２１ｂの回転軸の一方端に係合するギヤ２２の平歯車部２２ａと常時噛み合う構成となっている。【００６９】
以上説明した、フィードギヤ６４、第１のギヤ６５、第２のギヤ６６、第３のギヤ６７および第４のギヤ６８が兼用モータ６２の回転駆動力を受けて駆動力を各機構に伝達する動力伝達機構を構成しており、また、この動力伝達機構と兼用モータ６２が、各機構に対する駆動力を発生させる兼用駆動源機構を構成している。【００７０】
これら複数のギヤ６４、６５、６６、６７、６８の適宜組み合わせにより、兼用モータ６２による回転が所望の回転数に減速されて各ギヤ６４、６５、６６、６７、６８に伝達されるようになっている。【００７１】
また、搬送プレート２１の搬送ローラ２１ｂに対しては、ギヤ６４、６５、６６、６７、６８に加えてギヤ２２および２３を介して兼用モータ６２の回転駆動力が伝えられるが、ギヤ６４からギヤ６７までがターンテーブル５２の回転平面と平行な平面内（装置１内に光ディスクＰＤが収納された状態では光ディスクＰＤの主面に平行な水平面内）での回転により、兼用モータ６２の回転駆動力を伝える第１のギヤ群であるのに対し、第４のギヤ６８およびギヤ２２は垂直面（水平面を９０度傾けた面）内での回転により兼用モータ６２の回転駆動力を搬送ローラ２１ｂに伝えており、第２のギヤ群と呼称することができる。【００７２】
このように、搬送プレート２１の搬送ローラ２１ｂは、回転面の異なる２つのギヤ群によって回転駆動力が与えられており、ギヤ２３は兼用モータ６２から与えられる回転駆動力を、回転面の角度を９０度変更した回転駆動力に変えるための回転面変換ギヤであると言うことができ、ギヤ２３を備えることで、ディスク搬送動作をターンテーブル昇降動作およびピックアップ送り動作と同じモータにより実現することができる。なお、第４のギヤ６８は、ギヤ２３の回転駆動力をギヤ２２に伝える中継ギヤと呼称することができる。【００７３】
また、上述したようにギヤの回転面変換はギヤ２３の笠歯車部２３ａと第４のギヤ６８の笠歯車部６８bにて行われるが、笠歯車による回転駆動力の伝達は平歯車並みの伝達効率で回転駆動力を伝達できる。つまり、第１のギヤ群の回転駆動力は効率良く搬送ローラ２１ｂに伝達できる。さらに、ギヤ２３は第４のギヤ６８が回転支持されるボスからの抜けを防止し、第４のギヤ６８はギヤ２３が回転支持されるボスからの抜けが防止できる配置となっている。従って、これらのギヤの抜けを防止するために部品の追加を必要としない。【００７４】
ここで、ギヤ２３は常に第３のギヤ６７および第４のギヤ６８に噛合しているので、搬送ローラ２１ｂは兼用モータ６２が回転している限り、常にどちらかの回転方向に回転しているが、光ディスクに対する情報信号の記録および／または再生状態に際しては、光ディスクは搬送ローラ２１ｂと干渉しないので、問題は生じない。【００７５】
なお、ギヤ２２および２３は搬送プレート２１に付属しており、搬送プレート２１をメインシャーシ１１から取り外せば、ギヤ２２および２３を共にギヤ群から外すことができ、メンテナンスを容易に行うことができるが、光ディスク装置１の通常の使用においては、搬送プレート２１を取り外すことはない。【００７６】
＜Ｂ−５．フラップの構成＞
次に、図６および図７を用いてフラップ２０の構成および取り付け状態について説明する。【００７７】
図６は、カバーシャーシ９からフラップ２０を取り外した状態をカバーシャーシ９の外側面側から見た斜視図であり、図７は、カバーシャーシ９にフラップ２０を取り付けた状態でカバーシャーシ９の内側面側から見た斜視図である。【００７８】
図６に示すように、細長い矩形をなすフラップ２０の、長手方向の２つの端縁部の側面からは、当該側面に対してそれぞれ垂直に突出するボス部２０ａおよび２０ｂが設けられている。【００７９】
なお、ボス部２０ａおよび２０ｂは、図７に示すように、カバーシャーシ９の内側に設けられた係合部２０ｅおよび２０ｆにおいて回動自在に支持され、ボス部２０ａおよび２０ｂで揺動軸Ｐ２が構成される。【００８０】
カバーシャーシ９の内側面に対向するフラップ２０の裏面２０ｓには、長手方向の２つの端縁部寄りの位置に、それぞれバネ２０ｃおよび２０ｄが設けられている。【００８１】
バネ２０ｃおよび２０ｄは、フラップ２０を揺動軸Ｐ２を中心にして揺動可能とするための付勢手段であり、光ディスク装置１内に光ディスクを収容していない状態では、光ディスクの退避方向側（（＋）Ｙ方向側）の端部がカバーシャーシ９の内側面から最も離れ、進出方向側（（−）Ｙ方向側）の端部がカバーシャーシ９の内側面に最も近接した状態となっている。これをフラップ２０の初期位置と呼称する。【００８２】
フラップ２０が初期位置にあるときに光ディスクがディスク出入口ＳＬ（図１）から挿入されると、フラップ２０と搬送プレート２１の搬送ローラ２１ｂとの間に光ディスクの端縁部が挟まれ、搬送ローラ２１ｂが光ディスクを確実に保持した状態で、光ディスクを退避方向に押しやることになる。【００８３】
なお、光ディスクの退避が進むにつれて、フラップ２０の裏面２０ｓがカバーシャーシ９内側面とほぼ平行な状態となる。これをフラップ２０の動作時位置と呼称する。フラップ２０が動作時位置に変位することで、光ディスクの回転に際してフラップ２０が干渉しない位置に固定される。【００８４】
フラップ２０が動作時位置に近づくにつれて、光ディスクはフラップ２０によって保持されなくなるが、この段階では光ディスクは広い面積に渡って搬送ローラ２１ｂ上に位置しているので、搬送ローラ２１ｂ上から外れたり、ディスク出入口ＳＬから脱落するということなく退避方向に搬送されることとなる。【００８５】
このように、フラップ２０を初期位置から動作時位置に変位させるための部材が、図７に示すフラップ２０の表面２０ｐに設けた押し上げロッド２０ｔである。押し上げロッド２０ｔは、フラップ２０の長手方向の２つの端縁部のうち、ボス部２０ａが設けられた側の端縁部に設けられ、表面２０ｐから垂直方向に突出するロッド状の部材として構成されている。フラップ２０が初期位置にあるとき、この押し上げロッド２０ｔに矢印Ａ１で示す方向に力が加わると、フラップ２０が揺動して動作時位置に変位することになる。なお、図７はフラップ２０が動作時位置にある状態を示している。【００８６】
そして、押し上げロッド２０ｔに矢印Ａ１で示す方向（（＋）Ｙ方向）に力を加える部材が、図４を用いて説明したカムスライダ３０の小片部３０ｂである。【００８７】
すなわち、フラップ２０を組み込んだカバーシャーシ９によってメインシャーシ１１に蓋をすると、押し上げロッド２０ｔがカムスライダ３０の小片部３０ｂの先端近傍に位置することになる。このときは、押し上げロッド２０ｔと小片部３０ｂとは接触していない状態にあり、フラップ２０は初期位置にある。【００８８】
カムスライダ３０は、光ディスクの退避動作に伴って（−）Ｘ方向にスライドするが、カムスライダ３０のスライド動作に伴って小片部３０ｂの先端部が押し上げロッド２０ｔに接触し始める。ここで、小片部３０ｂの押し上げロッド２０ｔに対向する側の端縁は傾斜を有するように構成され、カムスライダ３０が（−）Ｘ方向にスライドするにつれて、押し上げロッド２０ｔを徐々に（＋）Ｙ方向に押しやることになる。【００８９】
そして、カムスライダ３０の（−）Ｘ方向のスライドが最終点に達すると、カムスライダ３０はどちらの方向にもスライドしなくなり、押し上げロッド２０ｔは小片部３０ｂに押された状態を保ち、フラップ２０は動作時位置に固定されることになる。【００９０】
このように、カムスライダ３０の動作に連動してフラップ２０を揺動させるので、光ディスクの進出退避に合わせてフラップ２０を揺動させることができる。【００９１】
また、押し上げロッド２０ｔを押し上げることでフラップ２０を揺動させるので、簡単な構成でフラップ２０を揺動させることができ、構造的にもトラブルが発生しにくく、製造コストも低減できる。【００９２】
＜Ｃ．装置動作＞
次に、図１〜図６を参照しつつ、図８〜図１０を用いて光ディスク装置１におけるディスク搬送動作、ターンテーブル昇降動作およびピックアップ送り動作の動作を説明する。【００９３】
＜Ｃ−１．光ディスク非退避状態での動作＞
図８は、光ディスクが光ディスク装置１内に退避しておらず、ターンテーブル５２や光ピックアップ５７等が配されたトラバースシャーシ５１は、この後、装置１内部に引き込まれる光ディスクとターンテーブル５２との干渉を避けるために、回動軸５１ａ、５１ｂを中心にトラバースシャーシ５１の揺動変位側端部をターンテーブル５２がクランパ１８（図１）から離間する方向に揺動し、メインシャーシ１１に対して傾斜した状態を示している。【００９４】
このとき、ターンテーブル５２は最も下降した位置にあり、光ピックアップ５７はターンテーブル５２に最も近接した状態にあり、スライドラック５８のターンテーブル５２側の端部に設けたボス部５８ａ（図５）は、トリガープレート６９のカム溝６９ｂの最も奥にまで侵入しており、バネ５９は最も圧縮された状態にある。【００９５】
また、第３のギヤ６７の平歯車部６７ａは第２のギヤ６６の平歯車部６６ａから兼用モータ６２の回転駆動力を受けて回転し、その回転駆動力はディスク搬送プレート２１のギヤ２３（図４）を介して第４のギヤ６８の笠歯車部６８ｂに伝えられ、笠歯車部６８ｂの回転駆動力が平歯車部６８ａを介して、ディスク搬送プレート２１のギヤ２２に伝えられ、ディスク搬送プレート２１の搬送ローラ２１ｂ（図４）の回転駆動力となる。このとき、搬送ローラ２１ｂは光ディスクを光ディスク装置１内に引き込む方向に回転している。【００９６】
また、このときカムスライダ３０は（＋）Ｘ方向の最終点に位置しており、カムスライダ３０のギヤ部３０ｄのラック歯車３０ａは第３のギヤ６７には噛合せず、第３のギヤ６７の回転駆動力は、カムスライダ３０のスライド動作には寄与していない。なお、この状態では、第３のギヤ６７の回転駆動力はディスク搬送プレート２１の搬送ローラ２１ｂ（図４）の回転にのみ寄与している。【００９７】
また、カムスライダ３０は（＋）Ｘ方向の最終点に位置しているので、スライドプレート４０の第２片４０ｑの先端部４０ａの裏面から垂直に突出するボス部４０ｔは、カムスライダ３０の溝部３０ｃの（−）Ｘ方向側の最端部に位置している。【００９８】
搬送ローラ２１ｂが光ディスクを光ディスク装置１内に引き込む方向に回転し、フラップ２０が初期位置にあるときに光ディスクがディスク出入口ＳＬ（図１）から挿入されると、フラップ２０と搬送プレート２１の搬送ローラ２１ｂとの間に光ディスクの端縁部が挟まれ、搬送ローラ２１ｂが光ディスクを保持した状態で、光ディスクを退避方向に押しやる。
【００９９】
＜Ｃ−２．光ディスク退避後の動作＞
図９には、光ディスクが装置１内に退避移動し、光ディスクがターンテーブル５２の真上位置まで到達した後、回動軸５１ａ、５１ｂを中心にトラバースシャーシ５１の揺動変位側端部が、ターンテーブル５２をクランパ１８（図１）に近づける方向に揺動し、ターンテーブル５２が上昇している途中の状態を示している。【０１００】
この動作をさらに説明する。光ディスクがターンテーブル５２の真上位置まで移動する際に、カバーシャーシ９の裏面に配設されたディスクストッパ２０１（図４）が溝部９ｇ（図１）に案内されて（＋）Ｙ方向に移動する。このとき、アーム１０２に連動してアーム１０１は（−）Ｙ方向にスライドするが、図４を用いて説明したように、スライドプレート４０の溝部４０ｂにはアーム１０１の裏面から垂直方向に延在する突起部１０１ｂが係合しているので、アーム１０１の（−）Ｙ方向のスライドと同時にスライドプレート４０も（−）Ｙ方向にスライドする。【０１０１】
スライドプレート４０が（−）Ｙ方向にスライドすると、それまでカムスライダ３０の溝部３０ｃの（−）Ｘ方向側の最端部に位置していたスライドプレート４０のボス部４０ｔが、図８に示す状態から溝部３０ｃの平面視形状が略Ｌ字形をなした屈曲部の斜面を押圧し、カムスライダ３０を（−）Ｘ方向側に引き戻す動作を行う。【０１０２】
この引き戻しの移動距離は僅かであるが、カムスライダ３０のギヤ部３０ｄのラック歯車３０ａが第３のギヤ６７に噛合するには充分な距離に設定されており、第３のギヤ６７の回転駆動力がラック歯車３０ａによって直線駆動力に変換され、カムスライダ３０を（−）Ｘ方向にスライドさせる。【０１０３】
ここで、図４を用いて説明したようにカムスライダ３０は、第１片３０ｐの一方の側面から垂直に延在する第２片３０ｑを有しているが、第２片３０ｑには、トラバースシャーシ５１の揺動変位側端部の端面に突出形成された被駆動ボス部５１ｃ（図８）が係合する平面視Ｚ字状のカム溝３０ｆが設けられており、カムスライダ３０の（−）Ｘ方向のスライドに伴って、上記被駆動ボス部５１ｃが上記カム溝３０ｆ内を（＋）Ｚ方向に引き上げられるように案内されることで、トラバースシャーシ５１の揺動変位側端部が、ターンテーブル５２をクランパ１８（図１）に近づける方向に揺動する。この動作をターンテーブル５２の上昇動作と呼称する。【０１０４】
なお、光ディスクの進出移動に際しては、カムスライダ３０が上記と反対方向にスライドすることで、ターンテーブル５２をクランパ１８から離間させるようにトラバースシャーシ５１が揺動する。この動作をターンテーブル５２の下降動作と呼称する。【０１０５】
上述したように、被駆動ボス部およびカムスライダ３０はターンテーブルを昇降させるターンテーブル昇降機構の主たる構成要素である。【０１０６】
カムスライダ３０のラック歯車３０ａの配設長さは、ターンテーブル５２が光ディスクを搭載して、光ピックアップ５７による情報の記録および／または読み出し動作が可能な（＋）Ｚ方向の位置（所定の高さ位置）にまで移動するだけの長さに設定されており、ラック歯車３０ａが第３のギヤ６７との噛合から解除された後は、カムスライダ３０のＸ方向のスライド動作は停止する。【０１０７】
なお、ターンテーブル５２が所定の高さ位置にまで上昇すると、クランパ１８の磁力による吸引力により、光ディスクがターンテーブル５２とクランパ１８との間に挟持される。【０１０８】
＜Ｃ−３．光ピックアップの送り動作＞
図１０には、光ディスクがターンテーブル５２とクランパ１８との間に挟持されて、情報の記録および／または読み出し動作が可能となった状態を示している。【０１０９】
この状態では、スライドラック５８のターンテーブル５２側の端部に設けたボス部５８ａは、トリガープレート６９のカム溝６９ｂには係合しなくなり、光ピックアップ５７のラック部５７ａとフィードギヤ６４の小歯車部６４ｃとが噛み合うようになって、スライドラック５８および光ピックアップ５７のラック部５７ａがトリガープレート６９から離れて、Ｙ方向に独立してスライド可能な状態となる。【０１１０】
すなわち、兼用モータ６２の回転駆動力によりウオームギヤ６３が回転すると、フィードギヤ６４の大歯車部６４ａはウオームギヤ６３により兼用モータ６２による回転に応じた方向に回転させられる。フィードギヤ６４の小歯車部６４ｃ（図５）と光ピックアップ５７のラック部５７ａ（図５）の噛合により、フィードギヤ６４の回転が光ピックアップ５７をＹ軸方向に沿って移動させる駆動力として該光ピックアップ５７に伝達される。このようにして、兼用モータ６２の回転方向に応じて、光ピックアップ５７が所定半径方向（Ｙ軸方向）に沿って往復移動することが可能となる。なお、この際、フィードギヤ６４の小歯車部６４ｃとスライドラック５８との噛合により、該スライドラック５８も光ピックアップ５７と同じ方向にＹ軸に沿って往復移動することは言うまでもない。【０１１１】
なお、情報信号の記録および／または再生に際しては、光ディスクはスピンドルモータ５４（図５）の回転駆動力を受けて回転し、光ピックアップ５７がＹ軸方向に沿って往復移動することで光ディスク上の所定のデータエリアに対して情報信号が記録および／または再生される。【０１１２】
例えば再生動作の場合、光ピックアップ５７は、光ディスク上において読み出したい所望の情報信号が記録された所定位置に移動し、該情報信号を再生する。なお、光ピックアップ５７のＹ軸方向に沿った往復移動は、ラック部５７ａを含むピックアップ駆動機構により実現される。【０１１３】
なお、ターンテーブル５２が完全に上昇し、光ピックアップ５７のラック部５７ａとフィードギヤ６４の小歯車部６４ｃとが噛み合うようになる動作およびその逆の動作を駆動力伝達経路の切替動作と呼称する。【０１１４】
駆動力伝達経路の切替動作により、兼用駆動源機構による駆動力の伝達経路が、ピックアップ駆動機構に至る経路からターンテーブル昇降機構に至る経路に、または、その逆に切替えることができ、当該切替動作を行う機構を駆動力伝達経路の切替機構と呼称する。【０１１５】
なお、上述した逆の動作とは以下のような動作である。【０１１６】
すなわち、兼用モータ６２の回転方向が、光ディスクの退避時とは逆になって、スライドラック５８のターンテーブル５２側の端部に設けたボス部５８ａが、トリガープレート６９のカム溝６９ｂの再奥部にまで達し、光ピックアップ５７のラック部５７ａとフィードギヤ６４の小歯車部６４ｃとの噛合が解除され、スライドラック５８および光ピックアップ５７のラック部５７ａがトリガープレート６９に係止されて、Ｙ方向でのスライド動作が不可能な状態となる。【０１１７】
この状態になると、カムスライダ３０のギヤ部３０ｄのラック歯車３０ａが第３のギヤ６７に噛合し、兼用モータ６２の回転駆動力（光ディスクの退避の場合とは逆回転）を受けて、カムスライダ３０を（＋）Ｘ方向にスライドさせる。【０１１８】
カムスライダ３０の（＋）Ｘ方向へのスライドにより、トラバースシャーシ５１の揺動変位側端部の端面に突出形成された被駆動ボス部５１ｃ（図８）が、カムスライダ３０の第２片３０ｑに設けたカム溝３０ｆ（図４）内を（−）Ｚ方向に案内されることで、トラバースシャーシ５１の揺動変位側端部が、ターンテーブル５２をクランパ１８から離間させるようにトラバースシャーシ５１が揺動し、ターンテーブル５２が下降する。このとき、カムスライダ３０の小片部３０ｂとロッド２０ｔとの係合が解除されるので、押し上げロッド２０ｔが初期位置に戻り、フラップ２０も初期位置に戻ることになる。【０１１９】
そして、ターンテーブル５２が完全に下降すると、光ディスクが、ディスク搬送プレート２１の搬送ローラ２１ｂ（図４）上に接触する。搬送ローラ２１ｂは、兼用モータ６２の回転方向が光ディスクの退避時とは逆になるとともに、兼用モータ６２の回転駆動力を受けて、光ディスクを光ディスク装置１内から押し出す方向に回転しており、搬送ローラ２１ｂ（図４）上に接触した光ディスクは、バネ２０ｃおよび２０ｄ（図６）による付勢力により初期位置に戻ろうとするフラップ２０と搬送ローラ２１ｂとの間に挟まれ、搬送ローラ２１ｂが光ディスクを確実に保持した状態で、光ディスクを進出方向に押しやることになる。【０１２０】
図１１には光ディスク装置１内から光ディスクＰＤがほぼ完全に進出した状態を示しており、光ディスクＰＤの光ディスク装置１内にある端縁部はフラップ２０と搬送ローラ２１ｂとの間に挟まれた状態にあり、光ディスクＰＤが脱落しない状態となっている。【０１２１】
＜Ｄ．特徴的効果＞
以上説明したように、本発明に係る実施の形態の光ディスク装置１においては、搬送プレート２１の搬送ローラ２１ｂは、回転面の異なる２つのギヤ群によって回転駆動力が与えられており、兼用モータ６２から与えられる回転駆動力を、回転面変換ギヤ２３によって、回転面の角度を９０度変更した回転駆動力に変えてディスク搬送用の搬送ローラ２１ｂを回転させることができ、光ディスクを光ディスク装置１内に直接出し入れするスロットイン方式の光ディスク装置を得ることができる。また、ディスク搬送のための専用の駆動機構としては、メインシャーシ１１に取り付けられた第４のギヤ６８と、搬送プレート２１に付属する搬送ローラ２１ｂおよびギヤ２２および２３だけで済むので、駆動機構が簡単なものとなり、装置を小型化できるとともに、構造的にもトラブルが発生しにくく、製造コストも低減できる。【０１２２】
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
0004260844.tif 000002
【図２】
0004260844.tif 000003
【図３】
0004260844.tif 000004
【図４】
0004260844.tif 000005
【図５】
0004260844.tif 000006
【図６】
0004260844.tif 000007
【図７】
0004260844.tif 000008
【図８】
0004260844.tif 000009
【図９】
0004260844.tif 000010
【図１０】
0004260844.tif 000011
【図１１】
0004260844.tif 000012